(57)【要約】【課題】コンクリート構造物の目地、クラック又は打ち継ぎ目において有効に止水するとともに耐久性に優れた止水構造を提供する。【解決手段】コンクリート構造物に形成された目地の両側にある構造部分１，２の互いに対向する面３，４における該コンクリート構造物の表面より所定の深さの位置に、該目地の方向に沿って凹状部５，６を形成する。該凹状部には、目地の方向に連続し、柔軟に変形する板状又はシート状の止水部材１１の両側縁部を突き入れ、凹状部内に充填された固定材１２に埋め込む。これにより、止水部材は目地の両側にある構造部分を連結するように架け渡して固定される。止水部材よりコンクリート構造物の表面側にはバックアップ材１３を配置し、表面付近に目地材１４を充填する。コンクリート構造物に生じたクラック、打ち継ぎ目についても、表面付近に溝を形成し、その後に同様の止水構造を設けて止水することができる。【選択図】図１
2016017357.tif 000002
【特許請求の範囲】
【請求項１】
コンクリート構造物に形成された目地の両側にある構造部分の互いに対向する面における該コンクリート構造物の表面より所定の深さの位置に、該目地の方向に沿って凹状部が形成されており、
前記目地の方向に連続し、柔軟に変形する板状又はシート状の止水部材の両側縁部が、対向する前記構造部分のそれぞれの前記凹状部内に突き入れられ、
コンクリートの前記構造部分及び前記止水部材に対して接着する固定材が前記凹状部内に充填され、前記止水部材の両側縁部が該固定材に埋め込まれており、
対向する前記構造部分間の前記止水部材より表面側に目地材が充填されていることを特徴とする止水構造。
【請求項２】
コンクリート構造物に生じたクラック又はコンクリート構造物の構築時に生じた打ち継ぎ目に沿い、該クラック又は該打ち継ぎ目の両側の構造部分にわたる溝が形成され、
該溝の両側の互いに対向する面における該コンクリート構造物の表面より所定深さの位置に該溝の方向に沿った凹状部が形成されており、
前記クラック又は打ち継ぎ目の方向に連続し、柔軟に変形する板状又はシート状の止水部材の両側縁部が、前記溝の両側の前記構造部分のそれぞれの前記凹状部内に突き入れられ、
コンクリートの前記構造部分及び前記止水部材に対して接着する固定材が前記凹状部内に充填され、前記止水部材の両側縁部が該固定材に埋め込まれており、
前記溝内の前記止水部材より表面側に目地材が充填されていることを特徴とする止水構造。
【請求項３】
互いに接合された二つのプレキャストコンクリート部材間の表面付近に溝が生じるように二つのプレキャストコンクリート部材の接合面が形成されており、
該溝の両側の互いに対向する面における該プレキャストコンクリート部材の表面より該溝内の所定深さの位置に該溝の方向に沿った凹状部が形成されており、
前記溝の方向に連続し、柔軟に変形する板状又はシート状の止水部材の両側縁部が、対向する前記プレキャストコンクリート部材のそれぞれの前記凹状部内に突き入れられ、
前記プレキャストコンクリート部材及び前記止水部材に対して接着する固定材が前記凹状部内に充填され、前記止水部材の両側縁部が該固定材に埋め込まれており、
前記溝内の前記止水部材より表面側に目地材が充填されていることを特徴とする止水構造。
【請求項４】
コンクリート構造物に設けられた目地の両側にある構造部分間に間隙を確保する工程と、
該間隙内における前記コンクリート構造物の表面より所定の深さの位置で、前記目地の両側の対向する面を該目地の方向に沿って凹状に切削し、凹状部を形成する工程と、
コンクリートの前記構造部分及び柔軟に変形する板状又はシート状の止水部材に対して接着する固定材を該凹状部内に充填するとともに、前記目地の方向に長い前記止水部材の両側縁部を該目地に沿って前記固定材に埋め込み、前記目地の両側の構造部分を連結するように該止水部材を設置する工程と、
前記止水部材と離隔するように前記間隙内の表面付近に目地材を充填する工程とを有することを特徴とする止水方法。
【請求項５】
コンクリート構造物に生じたクラック又はコンクリート構造物の構築時に生じた打ち継ぎ目に沿い、該クラック又は打ち継ぎ目の両側の構造部分にわたる所定深さの溝を形成する工程と、
該溝内における前記コンクリート構造物の表面より所定の深さの位置で、該溝内で互いに対向する面を該溝の方向に沿って凹状に切削し、凹状部を形成する工程と、
コンクリートの前記構造部分及び柔軟に変形する板状又はシート状の止水部材に対して接着する固定材を前記凹状部内に充填するとともに、前記クラック又は前記打ち継ぎ目の方向に長い前記止水部材の両側縁部を、該クラック又は該打ち継ぎ目に沿って前記固定材に埋め込み、前記溝の両側の構造部分を連結するように該止水部材を設置する工程と、
前記止水部材と離隔するように前記溝内の表面付近に目地材を充填する工程とを有することを特徴とする止水方法。
【請求項６】
前記凹状部を形成する工程は、
前記間隙又は前記溝の幅内に中心があって、該溝の幅より内径が大きい円筒状の穴を、該コンクリート構造物の表面付近に切削する工程と、
前記間隙又は前記溝の幅より外径が小さい回転軸に該間隙又は溝の幅より回転域の外径が大きい切削部材を取り付けた切削具を用い、前記切削部材を前記穴内に挿入して前記回転軸及び前記切削部材を回転駆動しながら該回転軸を前記間隙内又は溝内を移動させることによって、前記間隙又は溝の両側で対向する面を前記切削部材によって切削する工程と、を含むことを特徴とする請求項４又は請求項５に記載の止水方法。
【請求項７】
前記凹状部を形成する工程は、
前記コンクリート構造物の表面側から前記目地の間隙内を経て、該目地の両側の構造部分の一方側に、傾斜するように切削部材を進入させて、目地に沿って連続する溝を切削する工程と、
前記コンクリート構造物の表面側から前記目地の間隙内を経て、該目地の両側の構造部分の他方側に、傾斜するように切削部材を進入させて、目地に沿って連続する溝を切削する工程と、を含むことを特徴とする請求項４に記載の止水方法。
【請求項８】
コンクリート構造物に生じたクラック又はコンクリート構造物の構築時に生じた打ち継ぎ目の両側の構造部分の一方の表面から他方側に傾斜させ、該クラック又は打ち継ぎ目を越えて他方の構造部分に至るまで切削部材を進入させて、該クラック又は打ち継ぎ目に沿って連続する第１の溝を切削する工程と、
前記クラック又は打ち継ぎ目の両側の構造部分の他方の表面から一方側に傾斜させ、該クラック又は打ち継ぎ目を越えて一方の構造部分に至るまで切削部材を進入させて、該クラック又は打ち継ぎ目に沿って連続する第２の溝を切削する工程と、
コンクリートの前記構造部分及び柔軟に変形する板状又はシート状の止水部材に対して接着する固定材を、前記第１の溝及び前記第２の溝の底部に充填するとともに、前記クラック又は打ち継ぎ目の方向に長い前記止水部材の両側縁部を、該クラック又は該打ち継ぎ目に沿って前記固定材に埋め込み、前記クラック又は前記打ち継ぎ目の両側を連結するように該止水部材を設置する工程と、
前記第１の溝と前記第２の溝との切削によって形成された空隙内の該コンクリート構造物の表面付近に、前記止水部材と離隔するように目地材を充填する工程と、を有することを特徴とする止水方法。
【請求項９】
コンクリート構造物に設けられる目地又は打ち継ぎ目の両側にある構造部分間の少なくとも表面付近に間隙が形成され、該間隙内で互いに対向する面における該コンクリート構造物の表面より所定の深さの位置に該目地又は打ち継ぎ目の方向に沿って連続した凹状部が形成されるように型枠を設けてコンクリートを打設する工程と、
コンクリートの前記構造部分及び柔軟に変形する板状又はシート状の止水部材に対して接着する固定材を該凹状部内に充填するとともに、前記目地又は打ち継ぎ目の方向に長い前記止水部材の両側縁部を該目地に沿って前記固定材に埋め込み、前記目地の両側の構造部分を連結するように該止水部材を設置する工程と、
前記止水部材と離隔するように前記間隙内の表面付近に目地材を充填する工程とを有することを特徴とする止水方法。
【請求項１０】
互いに接合する二つのプレキャストコンクリート部材間の表面付近に溝が生じるように該プレキャストコンクリート部材の接合面を形成するとともに、
二つの前記プレキャストコンクリート部材を互いに接合して形成された前記溝内の互い対向する面における該プレキャストコンクリート部材の表面より所定の深さの位置に、該溝の方向に沿って連続する凹状部を有するように該プレキャストコンクリート部材を形成しておき、
前記プレキャストコンクリート部材及び柔軟に変形する板状又はシート状の止水部材に対して接着する固定材を前記凹状部内に充填するとともに、前記溝の方向に長い前記止水部材の両側縁部を、該溝に沿って前記固定材に埋め込み、該溝の両側を連結するように該止水部材を設置する工程と、
前記止水部材と離隔するように前記溝内の表面付近に目地材を充填する工程とを有することを特徴とする止水方法。
【発明の詳細な説明】
【技術分野】
【０００１】
本発明は、コンクリート構造物の目地、クラック、コンクリート打設時の打ち継ぎ目等の止水構造及び止水方法に関するものである。
【背景技術】
【０００２】
コンクリート構造物には、コンクリートの温度変化による膨張・収縮や乾燥収縮に対応するために目地が設けられることがある。目地は多くの場合において止水のための措置が施されるが、目地材の経年劣化等により漏水を生じることがある。例えば地下鉄等の地下構造物で、目地から構造物内に地下水が進入することがある。また、水路では水路内の流水が目地から水路外に漏れ出すことがある。
【０００３】
一方、コンクリート構造物に生じたクラックや、コンクリート構造物を構築する時の打ち継ぎ目から雨水等がコンクリート部材内に侵入したり、漏水が生じたりすることがある。このようなクラックや打ち継ぎ目からコンクリート部材内に雨水等が侵入すると鉄筋の発錆が促進されたり、コンクリートの劣化が促進されたりする。
【０００４】
このような目地、クラック、打ち継ぎ目等からの漏水、雨水の侵入を防ぐ技術として、例えば以下に示すものが提案されている。
特許文献１及び特許文献２に記載されている技術は、コンクリート構造物の表面において目地又はクラックを覆うように遮水層を形成するものである。また、特許文献３及び特許文献４に記載されている技術は、目地又はクラックに沿ってコンクリート構造物の表面における開口の幅よりコンクリート構造物の奥側で幅が大きくなった溝を形成し、この溝内に充填材を充填するものである。
【先行技術文献】
【特許文献】
【０００５】
【特許文献１】特開２０１１−３２７３７号公報
【特許文献２】特開２０１３−４４１９９号公報
【特許文献３】特開平２−３８７００号公報
【特許文献４】特開２０１０−１６８６号公報
【発明の概要】
【発明が解決しようとする課題】
【０００６】
しかしながら、上記のような従来の技術では次のような問題点がある。
特許文献１又は特許文献２に記載されているように、コンクリート構造物の表面に遮水層を形成するものでは、遮水層が外気の影響に晒されやすく、部材の劣化や物理的な損傷が生じ易い。
また、特許文献３又は特許文献４に記載されているように、目地やクラックに沿ってコンクリート構造物の表面近くに溝を形成し、充填材を充填するものでは、目地又はクラックの両側の構造部分に相対的な変位を生じたときに充填材に変形が生じる。このような変形が繰り返し生じることによって充填材とコンクリートとの接着部で剥離が生じたり、充填材に割れが生じたりすることがある。また、充填材がコンクリート構造物の表面付近で外気の影響を受けることによって充填材が劣化することがあり、上記剥離や割れが生じ易くなる。
【０００７】
本発明は、上記のような事情に鑑みてなされたものであり、その目的は、コンクリート構造物の目地、クラック又は打ち継ぎ目において有効に止水するとともに耐久性に優れた止水構造を提供すること、及びコンクリート構造物の目地、クラック又は打ち継ぎ目において有効に止水する方法を提供することである。
【課題を解決するための手段】
【０００８】
上記課題を解決するために、請求項１に係る発明は、  コンクリート構造物に形成された目地の両側にある構造部分の互いに対向する面における該コンクリート構造物の表面より所定の深さの位置に、該目地の方向に沿って凹状部が形成されており、  前記目地の方向に連続し、柔軟に変形する板状又はシート状の止水部材の両側縁部が、対向する前記構造部分のそれぞれの前記凹状部内に突き入れられ、  コンクリートの前記構造部分及び前記止水部材に対して接着する固定材が前記凹状部内に充填され、前記止水部材の両側縁部が該固定材に埋め込まれており、  対向する前記構造部分間の前記止水部材より表面側に目地材が充填されている止水構造を提供する。
【０００９】
この止水構造では、止水部材の両側縁部が目地の両側にある構造部分に固定材によって固定され、目地を通過しようとする雨水や地下水を有効に遮断する。そして、止水部材は柔軟に変形する板状又はシート状の部材であり、目地の両側の構造部分に相対的な変位が生じても容易に追従することができ、止水部材が両側の構造部分に固定されている部分に作用する負荷は小さい。したがって、相対的な変位が繰り返し生じても止水部材による止水性が損なわれるのを抑制することができる。また、止水部材及びこの止水部材の両側縁の固定部分が、目地内に充填された目地材によって保護され、劣化や損傷を防止することができる。
【００１０】
請求項２に係る発明は、  コンクリート構造物に生じたクラック又はコンクリート構造物の構築時に生じた打ち継ぎ目に沿い、該クラック又は該打ち継ぎ目の両側の構造部分にわたる溝が形成され、    該溝の両側の互いに対向する面における該コンクリート構造物の表面より所定深さの位置に該溝の方向に沿った凹状部が形成されており、  前記クラック又は打ち継ぎ目の方向に連続し、柔軟に変形する板状又はシート状の止水部材の両側縁部が、前記溝の両側の前記構造部分のそれぞれの前記凹状部内に突き入れられ、  コンクリートの前記構造部分及び前記止水部材に対して接着する固定材が前記凹状部内に充填され、前記止水部材の両側縁部が該固定材に埋め込まれており、  前記溝内の前記止水部材より表面側に目地材が充填されている止水構造を提供するものである。
【００１１】
この止水構造では、止水部材の両側縁部がクラック又は打ち継ぎ目の両側にある構造部分に固定材によって固定され、コンクリート構造物内に浸透しようとする雨水等を有効に遮断することができる。そして、止水部材は柔軟に変形する板状又はシート状の部材であり、クラック又は打ち継ぎ目の両側の構造部分に相対的な変位が生じても容易に追従することができる。したがって、相対的な変位が繰り返し生じて止水部材による止水性が損なわれるのを抑制することができる。また、止水部材及びこの止水部材の両側縁の固定部分が、溝内に充填された目地材によって保護され、劣化や損傷を防止することができる。
【００１２】
請求項３に係る発明は、  互いに接合された二つのプレキャストコンクリート部材間の表面付近に溝が生じるように二つのプレキャストコンクリート部材の接合面が形成されており、  該溝の両側の互いに対向する面における該プレキャストコンクリート部材の表面より該溝内の所定深さの位置に該溝の方向に沿った凹状部が形成されており、  前記溝の方向に連続し、柔軟に変形する板状又はシート状の止水部材の両側縁部が、対向する前記プレキャストコンクリート部材のそれぞれの前記凹状部内に突き入れられ、  前記プレキャストコンクリート部材及び前記止水部材に対して接着する固定材が前記凹状部内に充填され、前記止水部材の両側縁部が該固定材に埋め込まれており、  前記溝内の前記止水部材より表面側に目地材が充填されている止水構造を提供するものである。
【００１３】
この止水構造では、止水部材の両側縁部が接合される二つのプレキャストコンクリート部材のそれぞれに固定材によって固定され、接合面に沿って通過しようとする雨水や地下水を有効に遮断する。そして、止水部材は柔軟に変形する板状又はシート状の部材であり、二つのプレキャストコンクリート部材間に相対的な変位が生じても容易に追従することができる。したがって、接合面の両側のプレキャストコンクリート部材に止水部材が固定されている部分に作用する負荷は小さく、相対的な変位が繰り返し生じて止水部材による止水性が損なわれるのを抑制することができる。また、止水部材及びこの止水部材の両側縁の固定部分が、溝内に充填された目地材によって保護され、劣化や損傷を防止することができる。
【００１４】
請求項４に係る発明は、  コンクリート構造物に設けられた目地の両側にある構造部分間に間隙を確保する工程と、  該間隙内における前記コンクリート構造物の表面より所定の深さの位置で、前記目地の両側の対向する面を該目地の方向に沿って凹状に切削し、凹状部を形成する工程と、  コンクリートの前記構造部分及び柔軟に変形する板状又はシート状の止水部材に対して接着する固定材を該凹状部内に充填するとともに、前記目地の方向に長い前記止水部材の両側縁部を該目地に沿って前記固定材に埋め込み、前記目地の両側の構造部分を連結するように該止水部材を設置する工程と、  前記止水部材と離隔するように前記間隙内の表面付近に目地材を充填する工程とを有する止水方法を提供するものである。
【００１５】
この止水方法では、目地を有するコンクリート構造物が既存のものであっても、又は新たに構築されたものであっても、目地の両側の構造部分を連結するように止水部材を固定して目地を通過しようとする雨水や地下水を有効に遮断することができる。また、柔軟に変形する板状又はシート状の止水部材をコンクリート構造物の表面より深い位置に設け、目地材で覆って保護することができるので、目地の両側の構造部分に相対的な変位が生じても容易に追従して固定部分の損傷を防ぐとともに、外気に晒されることによる止水部材や固定材の劣化を防ぎ、耐久性の高い止水構造とすることができる。
なお、本発明における上記コンクリート構造物に設けられた目地の両側にある構造部分間に間隙を確保する工程は、目地の両側の構造物間に本発明の構成を実施するのに充分な幅の間隙が既に存在しているときには、その間隙を維持するのみとなる。構造部分間に目地材等が充填されている場合、土砂等によって目詰まりが生じているときには、これを除去する工程となる。また、構造部分間の幅が本発明の構成を実施するのに充分ではないときには両側の構造部分を切削して構造部分間の間隙を拡幅する工程を含むものとなる。
【００１６】
請求項５に係る発明は、  コンクリート構造物に生じたクラック又はコンクリート構造物の構築時に生じた打ち継ぎ目に沿い、該クラック又は打ち継ぎ目の両側の構造部分にわたる所定深さの溝を形成する工程と、  該溝内における前記コンクリート構造物の表面より所定の深さの位置で、該溝内で互いに対向する面を該溝の方向に沿って凹状に切削し、凹状部を形成する工程と、  コンクリートの前記構造部分及び柔軟に変形する板状又はシート状の止水部材に対して接着する固定材を前記凹状部内に充填するとともに、前記クラック又は前記打ち継ぎ目の方向に長い前記止水部材の両側縁部を、該クラック又は該打ち継ぎ目に沿って前記固定材に埋め込み、前記溝の両側の構造部分を連結するように該止水部材を設置する工程と、  前記止水部材と離隔するように前記溝内の表面付近に目地材を充填する工程とを有する止水方法を提供するものである。
【００１７】
この止水方法では、コンクリート構造物の表面より深い位置でクラック又は打ち継ぎ目の両側の構造部分を連結するように止水部材を固定することができ、クラック又は打ち継ぎ目からコンクリート構造物内に浸透しようとする雨水や地下水を有効に遮断することができる。そして、止水部材はコンクリート構造物の表面より深い位置に設け、目地材で止水部材を覆って保護することができるので、外気に晒されることによる止水部材や固定材の劣化を低減することができる。また、止水部材は柔軟に変形する板状又はシート状の部材を用いることができ、目地の両側の構造部分に相対的な変位が生じても容易に追従して固定部分の損傷を防ぎ、耐久性の高い止水構造を得ることができる。
【００１８】
請求項６に係る発明は、請求項４又は請求項５に記載の止水方法において、  前記凹状部を形成する工程は、  前記間隙又は前記溝の幅内に中心があって、該溝の幅より内径が大きい円筒状の穴を、該コンクリート構造物の表面付近に切削する工程と、  前記間隙又は前記溝の幅より外径が小さい回転軸に該間隙又は溝の幅より回転域の外径が大きい切削部材を取り付けた切削具を用い、前記切削部材を前記穴内に挿入して前記回転軸及び前記切削部材を回転駆動しながら該回転軸を前記間隙内又は溝内を移動させることによって、前記間隙又は溝の両側で対向する面を前記切削部材によって切削する工程と、を含むものとする。
【００１９】
この止水方法では、目地の間隙内で互いに対向する面、又ははクラックや打ち継ぎ目に沿って設けた溝内で互いに対向する面に、目地、クラック又は打ち継ぎ目に沿って連続する凹部を容易に形成することができる。
【００２０】
請求項７に係る発明は、請求項４に記載の止水方法において、  前記凹状部を形成する工程は、  前記コンクリート構造物の表面側から前記目地の間隙内を経て、該目地の両側の構造部分の一方側に、傾斜するように切削部材を進入させて、目地に沿って連続する溝を切削する工程と、  前記コンクリート構造物の表面側から前記目地の間隙内を経て、該目地の両側の構造部分の他方側に、傾斜するように切削部材を進入させて、目地に沿って連続する溝を切削する工程と、を含むものとする。
【００２１】
この止水方法では、コンクリート構造物の表面側から切削部材を進入させて、目地の方向に連続する凹状部を容易に形成することができる。また、凹状部は目地の間隙内で互いに対向する面から斜め方向に切削され、コンクリート構造物の表面側に向かって開口しているので、コンクリート構造物の表面側から固定材を凹状部内に充填する作業や止水部材を凹状部内で固定材に埋め込む作業を容易に行うことができる。
【００２２】
請求項８に係る発明は、  コンクリート構造物に生じたクラック又はコンクリート構造物の構築時に生じた打ち継ぎ目の両側の構造部分の一方の表面から他方側に傾斜させ、該クラック又は打ち継ぎ目を越えて他方の構造部分に至るまで切削部材を進入させて、該クラック又は打ち継ぎ目に沿って連続する第１の溝を切削する工程と、  前記クラック又は打ち継ぎ目の両側の構造部分の他方の表面から一方側に傾斜させ、該クラック又は打ち継ぎ目を越えて一方の構造部分に至るまで切削部材を進入させて、該クラック又は打ち継ぎ目に沿って連続する第２の溝を切削する工程と、  コンクリートの前記構造部分及び柔軟に変形する板状又はシート状の止水部材に対して接着する固定材を、前記第１の溝及び前記第２の溝の底部に充填するとともに、前記クラック又は打ち継ぎ目の方向に長い前記止水部材の両側縁部を、該クラック又は該打ち継ぎ目に沿って前記固定材に埋め込み、前記クラック又は前記打ち継ぎ目の両側を連結するように該止水部材を設置する工程と、  前記第１の溝と前記第２の溝との切削によって形成された空隙内の該コンクリート構造物の表面付近に、前記止水部材と離隔するように目地材を充填する工程と、を有する止水方法を提供するものである。
【００２３】
この止水方法では、コンクリート構造物の表面側から切削部材を傾斜して進入させ、クラック又は打ち継ぎ目の方向に連続する２つの溝を形成することができる。これによってクラック又は打ち継ぎ目の両側の構造部分に、コンクリート構造物の表面側に向かって開口した凹状部が形成される。そして、これらの溝の切削によって上記凹状部よりコンクリート構造物の表面側は溝状に開削される。したがって、表面側に向かって開口した凹状部に、コンクリート構造物の表面側から固定材を凹状部内に充填する作業や止水部材を凹状部内で固定材に埋め込む作業を容易に行うことができる。
【００２４】
請求項９に係る発明は、  コンクリート構造物に設けられる目地又は打ち継ぎ目の両側にある構造部分間の少なくとも表面付近に間隙が形成され、該間隙内で互いに対向する面における該コンクリート構造物の表面より所定の深さの位置に該目地又は打ち継ぎ目の方向に沿って連続した凹状部が形成されるように型枠を設けてコンクリートを打設する工程と、  コンクリートの前記構造部分及び柔軟に変形する板状又はシート状の止水部材に対して接着する固定材を該凹状部内に充填するとともに、前記目地又は打ち継ぎ目の方向に長い前記止水部材の両側縁部を該目地に沿って前記固定材に埋め込み、前記目地の両側の構造部分を連結するように該止水部材を設置する工程と、  前記止水部材と離隔するように前記間隙内の表面付近に目地材を充填する工程とを有する止水方法を提供するものである。
【００２５】
この方法では、コンクリート構造物を新設するときに、目地又はコンクリートの打ち継ぎ目に止水構造を設け、目地又は打ち継ぎ目からの漏水又は雨水等の浸透を抑制することができる。また、コンクリートを打設した後に止水部材を取り付けて止水することができるとともに、止水部材等を外気の環境から保護することができる。したがって、コンクリートの打設前に止水板を設置してこれを埋め込むようにコンクリートを打設する止水方法に比べて、型枠の設置や鉄筋の配置等の工程を合理化することができる。
【００２６】
請求項１０に係る発明は、  互いに接合する二つのプレキャストコンクリート部材間の表面付近に溝が生じるように該プレキャストコンクリート部材の接合面を形成するとともに、  二つの前記プレキャストコンクリート部材を互いに接合して形成された前記溝内の互い対向する面における該プレキャストコンクリート部材の表面より所定の深さの位置に、該溝の方向に沿って連続する凹状部を有するように該プレキャストコンクリート部材を形成しておき、  前記プレキャストコンクリート部材及び柔軟に変形する板状又はシート状の止水部材に対して接着する固定材を前記凹状部内に充填するとともに、前記溝の方向に長い前記止水部材の両側縁部を、該溝に沿って前記固定材に埋め込み、該溝の両側を連結するように該止水部材を設置する工程と、  前記止水部材と離隔するように前記溝内の表面付近に目地材を充填する工程とを有する止水方法を提供するものである。
【００２７】
この止水方法では、２つのプレキャストコンクリート部材を設置位置で接合した後に、該プレキャストコンクリート部材の表面側から、止水部材を双方のプレキャストコンクリート部材間に取り付けて止水することができる。また、止水部材はプレキャストコンクリート部材の表面より深い位置に設け、目地材等で覆うことができるので、耐久性の良い止水構造を得ることができる。
【発明の効果】
【００２８】
以上説明したように、本発明の止水構造では、コンクリート構造物の目地、クラック又は打ち継ぎ目において有効に止水することができるとともに、止水部材をコンクリート構造物の表面より深い位置に設けて、これを覆うように保護することができるので、耐久性に優れた止水構造とすることができる。また、本発明の止水方法では、新設のコンクリート構造物及び既設のコンクリート構造物のいずれの目地であっても、耐久性のある止水を施すことができる。また、コンクリート構造物に生じたクラック又は打ち継ぎ目に止水を施して雨水等がコンクリート構造物内に進入するのを防ぐとともに、その止水構造を耐久性のあるものとすることができる。
【図面の簡単な説明】
【００２９】
【図１】本発明の一実施形態である止水構造を示す概略断面図である。
【図２】図１に示す止水構造を形成する工程を示す概略断面図である。
【図３】図１に示す止水構造を形成する工程を示す概略断面図である。
【図４】図２（ｂ）に示すように、目地の両側にある構造部分の互いに対向する面に凹状部を形成する工程を示す概略平面図及び概略断面図である。
【図５】目地の両側にある構造部分の互いに対向する面に凹状部を形成する工程を示す概略断面図である。
【図６】目地の両側にある構造部分の互いに対向する面に形成する凹状部の他の例を示す概略断面図である。
【図７】形成された凹状部に、固定材を充填するとともに止水部材を配置する工程の他の例を示す概略断面図である。
【図８】図１に示す止水構造で用いられる止水部材に代えて、本発明の止水構造で用いることができる止水部材の他の例を示す概略断面図である。
【図９】本発明の他の実施形態である止水構造を形成する工程を示す概略断面図である。
【図１０】本発明の他の実施形態である止水構造を形成する工程、及び形成された止水構造を示す概略断面図である。
【図１１】本発明の他の実施形態であって、コンクリート構造物に生じたクラックの止水方法及び止水構造を示す概略断面図である。
【図１２】本発明の他の実施形態である止水構造を示す概略断面図である。
【図１３】本発明の他の実施形態であって、クラックの止水方法及び止水構造の他の例を示す概略断面図である。
【図１４】本発明の他の実施形態であって、コンクリート構造物を新設するときの目地又は打ち継ぎ目に止水構造を設ける工程の一部を示す概略断面図である。
【図１５】本発明の他の実施形態であって、二つのプレキャストコンクリート部材の接合部における止水方法及び止水構造を示す概略断面図である。
【発明を実施するための形態】
【００３０】
以下、本発明の実施の形態を図に基づいて説明する。
図１は、本発明の一実施形態である止水構造を示す概略断面図である。
この止水構造は、コンクリート構造物に設けられた目地を雨水等が透過するのを、コンクリート構造物の表面付近で遮断するものである。
この止水構造では、目地の両側にあるコンクリートの第１の構造部分１と第２の構造部分２との間に間隙７があり、この間隙の両側を連結するように設けられた止水部材１１によって止水する。間隙７の両側にある第１の構造部分１と第２の構造部分２との互いに対向する面３，４には、目地の方向に連続する凹状部５，６が形成され、この凹状部に固定材１２が充填されている。上記止水部材１１はこれらの凹状部５，６内で固定材１２によって固定される。すなわち、目地の方向に長い止水部材１１の両側縁部が凹状部５，６内に突き入れられ、固定材１２に埋め込んで固定されている。
上記止水部材１１よりコンクリート構造物の表面側には、柔軟に変形するバックアップ材１３が配置され、これを覆うようにコンクリート構造物の表面付近には目地材１４が充填されている。また、コンクリート構造物の表面に第１の構造部分１から第２の構造部分２にわたって目地部分を覆うように保護層１５が設けられている。
なお、上記保護層１５は省略することもできる。
【００３１】
上記止水部材１１は、シリコン系、ウレタン系等の合成樹脂からなる板状又はシート状の部材を用いることができる。また、アスファルト系の材料もしくはゴム材、又はこれらの混合物を板状又はシート状にしたものであっても良い。その他、水密性を有し、柔軟に曲げ変形が生じるものを用いることができる。さらに、面に沿った方向に伸縮が可能なものが望ましい。
【００３２】
上記固定材１２は、凹状部に充填するときには柔軟に変形可能なものであって、後に硬化する材料を使用することができる。そして、上記止水部材１１及びコンクリートに対して強い接着性を有するものが望ましい。例えば、アクリル系、ウレタン系、エポキシ系等の合成樹脂を主成分とする接着剤を用いることができる。また、ゴム系の材料であっても良い。
【００３３】
上記バックアップ材１３は、上記止水部材１１と上記目地材１４とを離隔した状態に維持し、止水部材１１の変形を拘束しないものを使用することができる。例えば、フェルト等の繊維質材料、合成樹脂の発泡体、ゴム系材料の発泡体等を用いることができる。また、グリース等の柔軟に変形する材料を充填するものであっても良い。
【００３４】
上記目地材１４は、コンクリート構造物の表面付近で止水部材１１を保護するものであり、目地の両側の第１の構造部分１のコンクリート及び第２の構造部分２のコンクリートに密着するように充填できるものが望ましい。そして、第１の構造部分１と第２の構造部分２との間隙が温度変化や乾燥収縮によって変動するときには、これに追従して変形が可能なものを用いるのがよい。例えば、アスファルト、ゴム系、シリコン系、アクリル系、ウレタン系の材料等を用いることができる。また、止水部材１１を固定する固定材１２として用いた材料と同様の充填時には柔軟に変形し、後に硬化する合成樹脂、樹脂モルタル、無収縮モルタル等を用いることもできる。さらに、ゴムや合成樹脂で成型された部材をはめ込み、隙間にコーキング材を充填するものであってもよい。
【００３５】
上記保護層１５は、目地材１４の劣化を低減し、耐久性を向上するために設けられるものであって、寒冷地や海域に近い場所では、この保護層１５を設けるのが望ましい。
上記保護層１５には、エポキシ樹脂等の弾性変形が可能でコンクリートに対する付着力が高いものを使用するのが望ましく、目地の両側の第１の構造部分１から第２の構造部分２にわたって塗布することによって形成することができる。また、シート状又は板状に形成された部材を貼り付けるものであってもよい。
【００３６】
次に、上記止水構造を形成する工程について説明する。
まず、図２（ａ）に示すように、この止水構造を形成しようとする目地の両側の構造部分１，２間に間隙７を確保する。既存のコンクリート構造に形成されている目地であって、古い目地材が両側の構造部分１，２間に充填されている場合には、コンクリート構造物の表面付近の目地材を除去し、二つの構造部分１，２間に間隙７を確保する。また、目地の両側の構造部分１，２間の間隔が狭い目地や、目地の両側の構造部分１，２が密着している目地では、両側の構造部分１，２のコンクリートを切削して間隙を確保する。
その後、図２（ｂ）に示すように目地の両側の構造部分１，２の上記間隙を挟んで互いに対向する面３，４に凹状部５，６を形成する。この凹状部５，６は、コンクリート構造物の表面より所定の深さの位置で、コンクリート構造物の表面に現れた目地の方向に沿って連続するように形成する。
なお、コンクリート構造物を新設するときには、上記間隙及び凹状部をコンクリートを打設するときに形成しておくことができる。この工程については後述する。
【００３７】
上記凹状部５，６は、例えば次のように形成することができる。
図４（ａ）に示すようにコンクリート構造物の表面から目地の間隙７内に中心があって、両側の構造部分１，２に及ぶ円筒形状の拡幅穴８を、目地に沿って所定の間隔で形成する。図４（ｂ）は形成された拡幅穴８の断面図であって、この拡幅穴８は凹状部５，６を設ける位置より深く形成する。この拡幅穴８の形成には、例えば、円筒状の切削刃を軸線回りに回転駆動するコンクリート用のコアドリル等を用いることができる。
【００３８】
拡幅穴８が形成されると、図４（ｃ）に示すように、この拡幅穴８に切削具９を挿入して目地の方向に沿って凹状部５，６を切削する。上記切削具９は、本体部９ａに対して軸線回りに回転駆動される回転軸９ｂを有し、この回転軸９ｂの先端付近に切削刃９ｃが取り付けられている。上記回転軸９ｂの外径は、目地の間隙７の幅より小さくなっている。また、切削刃９ｃは円板状の部材であって回転軸９ｂと中心が一致するように固定され、回転軸９ｂとともに回転駆動されることによって周縁部でコンクリートを切削するものである。この切削刃９ｃの外径は目地７の間隙より大きく、拡幅穴８の外径より小さくなっている。なお、図４（ｃ）に示す例では２枚の切削刃９ｃが間隔を開けて取り付けられたものである。
【００３９】
上記切削具９の回転軸９ｂ及び切削刃９ｃを回転駆動しながら拡幅穴８から目地に沿って移動することにより、図５（ａ）に示すように、目地の両側にある構造部分１，２の互いに対向する面３，４を溝状に切削することができる。このとき、切削具の本体部９ａに設けられた規準部材９ｄはコンクリート構造物の表面に当接され、この状態で切削刃９ｃが移動することにより目地の方向に沿って同じ深さの位置に溝が形成される。
【００４０】
上記切削具９により、図５（ｂ）に示すように目地の両側で対向する面３，４がそれぞれ２つの溝状に切削され、これらの間の切削残留部３ａ，４ａを折り取ることによって、図２（ｂ）に示すような断面が矩形となった凹状部５，６を形成することができる。上記切削残留部３ａ，４ａを折り取る工程は、先端にくさびを有する工具１０を溝状に切削された部分に押し込んで折り取るものであっても良いし、切削残留部３ａ，４ａに工具を係止してコンクリート構造物の表面側に引っ張ることによって、又は表面側から押し込むことによって折り取ることができる。
また、切削具９に取り付ける切削刃９ｃとして、断面が矩形となった凹状部の形状に対応したビットを用い、凹状部の全断面を切削してもよい。
【００４１】
凹状部５，６が形成されると、図３（ａ）に示すように、ペースト状であって柔軟に変形する固定材１２をこれらの凹状部５，６内に充填する。この固定材１２が硬化する前に目地の間隙内に板状の止水部材１１を送り込み、止水部材１１の両側縁部を固定材１２に押し込む。これにより、図３（ｂ）に示すように止水部材１１の両側縁部が、目地の方向に沿って凹状部５，６内で固定材１２に埋め込まれる。そして、固定材１２が硬化することによって第１の構造部分１と第２の構造部分２との間に架け渡した状態で固定される。このとき止水部材１１は、断面形状が波打つように又は湾曲するように配置し、第１の構造部分１と第２の構造部分２とが相対的に変位したときにも、止水部材１１の変形によって追従して止水部材１１と固定材１２との接合部には大きな負荷が生じないようにする。
なお、凹状部５，６の内面には、固定材１２を充填する前にコンクリートに対する含浸性を有する下地材等を塗布しておくのが望ましい。
【００４２】
その後、図３（ｃ）に示すように止水部材１１よりコンクリート構造物の表面側にバックアップ材１３を配置し、さらに表面側に目地材１４を充填する。そして、必要に応じてコンクリート構造物の表面には目地を覆うように保護層１５を形成して止水構造の形成工程を完了する。
【００４３】
以上に説明した実施の形態において、上記凹状部５，６は断面の形状が矩形となったものであるが、固定材１２を充填して止水部材１１を突き入れ、固定することができるものであれば矩形に限定されるものではなく、図６に示すような形状とすることもできる。図６（ａ）に示す凹状部２１は、断面が三角形となったものであり、図６（ｂ）に示す凹状部２２は奥側で幅が縮小された台形状となっている。また、図６（ｃ）に示すように凹状部２３の内面が曲面となったものであってもよい。
【００４４】
一方、目地の両側の対向する面に形成された凹状部５，６に固定材１２を充填し、止水部材１１を固定する工程は、図７に示すように行うこともできる。
この工程では、図７（ａ）に示すように凹状部５，６に半量程度の固定材１２ａを充填する。そして、止水部材１１を凹状部５，６内に差し入れ、図７（ｂ）に示すように既に充填されている固定材１２ａに密着させる。その後、凹状部５，６内の残留している空隙内に固定材１２を充填して止水部材１１を凹状部５，６内で固定材１２に埋め込む。この方法では、止水部材１１として剛性の小さいシート状の部材を用いるときにも、容易に両側縁部を固定材１２に埋め込んで固定することができる。
【００４５】
また、以上に説明した実施の形態では止水部材１１として一様な厚さの板状又はシート状の部材を用いるものであったが、図８に示すような断面形状を有するものを用いることもできる。
図８（ａ）に示す止水部材２４は、板状となった部材の両側縁部で、固定材１２に突き入れられる部分２４ａと二つの構造部分１，２間に架け渡される部分２４ｂとの境界位置に、板面から両側への張り出した部分２４ｃを有するものである。この張り出した部２４ｃは、目地の方向に連続するように形成されており、固定材１２と接触する面積を拡大して固定材１２との密着性を高め、境界部からの漏水を防ごうとするものである。
図８（ｂ）に示す止水部材２５は、板状となった部材の両側縁から板面の両側に張り出し、凹状部５，６の奥側に向かって凸状に湾曲した部分２５ａを有するものである。この湾曲した部分２５ａは、固定材１２が充填された凹状部５，６に強く押し入れることができ、固定材１２との密着性を高めようとするものである。
図８（ｃ）に示す止水部材２６は、両側縁部の断面形状が湾曲したものとなっており、この湾曲部分２６ａを固定材１２が充填された凹状部５，６に強く押し入れることができるものである。
【００４６】
次に、本発明の他の実施形態であって、目地の両側にある構造部分の互いに対向する面に凹部を形成する工程が異なる止水方法及びこの方法で形成された止水構造を、図９及び図１０に基づいて説明する。
この止水方法では、コンクリート構造物の表面側から目地の間隙３７内に切削刃を進入させ、目地を挟んで互いに対向する面３３，３４から、目地の両側の構造部分３１，３２の一方側に傾斜するように切削部材を進入させる。そして、目地に沿って斜めに傾斜した溝を形成するように、目地に沿って切削しながら移動する。このような傾斜した溝を目地の中心線に関して対称となるように形成する。つまり、図９（ａ）中の仮想線Ｌ１で示すように目地の中心より第２の構造部分３２側の表面より切削刃を目地の間隙３７内に進入させ、第１の構造部分３１の第２の構造部分３２と対向する面３３に凹状部３５を切削する。この凹状部３５は、図９（ｂ）に示すようにコンクリート構造物の表面側から奥側に斜めに削り込まれ、表面側に向かって開口するものとなる。このような工程を目地の中心線の反対側である第１の構造部分３１側から第２の構造部分３２側に進入させ、第２の構造部分３２の第１の構造部分３１と対向する面３４にも同様に凹状部３６を形成する。
このとき切削刃は、コンクリート構造物の表面に目地の間隙３７が開口した部分から差し入れるものであっても良いし、図９（ａ）に示すように第２の構造部分３２及び第１の構造部分３１の一部を切削して目地の間隙３７内に進入させるものであってもよい。
なお、上記のような切削は、円板状の切削刃を有する切削具、例えばブレードカッターを用い、円板状の切削刃を回転駆動しながら切削刃の外周部をコンクリート構造物内に進入させることによって行うことができる。また、溝幅に相当する外径の円柱状の切削刃をその中心軸線回りに回転駆動する切削具、例えばロータリーホイールを用い、切削刃を先端からコンクリート構造物内に進入させて目地に沿った方向に溝を切削するものであってもよい。
【００４７】
上記のように第１の構造部分３１及び第２の構造部分３２のコンクリートを切削することによって図９（ｂ）に示すように目地の両側の第１の構造部分３１と第２の構造部分３２とに凹状部３５，３６が形成される。
この凹状部３５，３６には、図９（ｃ）に示すように固定材４２を充填し、その後の固定材４２が硬化する前に板状の止水部材４１を弾性的に湾曲させた状態で目地内に送り入れ、その両側縁部を凹状部３５，３６に充填した固定材４２中に突き入れる。これにより、図１０（ａ）に示すように止水部材４１の両側縁部は凹状部３５，３６内で固定材４２に埋め込まれ、固定材４２の硬化によって第１の構造部分３１と第２の構造部分３２とに架け渡すように固定される。
【００４８】
固定材４２が硬化した後、図１０（ｂ）に示すように止水部材４１よりコンクリート構造物の表面側にバックアップ材４３を配置し、さらに表面側に目地材４４を充填する。また、必要に応じてコンクリート構造物の表面に目地を覆うように保護層４５を形成する。
【００４９】
このような止水方法では、目地の両側の第１の構造部分３１及び第２の構造部分３２に形成される凹状部３５，３６がコンクリート構造物の表面側に向かって開口しており、固定材４２の充填及び止水部材４１の装着を容易に行うことができる。
なお、この実施の形態でも、止水部材４１、固定材４２、バックアップ材４３、目地材４４及び保護層４５を形成する材料は、図１に示す止水構造で用いることができるものと同様のものを用いることができる。
【００５０】
図１１は、本発明の他の実施形態であって、コンクリート構造物に生じたクラックから雨水等がコンクリート構造物内に浸透するのを防ぐ止水方法及び止水構造を示す概略断面図である。
この止水方法では、クラック５７に沿って止水構造を形成するために、図１１（ａ）及び図１１（ｂ）に示すようにクラック５７の両側にわたってコンクリート構造物の表面付近に溝５８を形成する。この溝５８はコンクリート構造物の表面に対してほぼ垂直に切削したものであり、その深さは、止水部材６１を固定するための凹状部を形成する位置より深いものとする。
【００５１】
溝５８が形成されると、図１に示す止水構造を形成するときと同様に、凹状部５５，５６を形成する工程、固定材６２を凹状部５５，５６に充填する工程、止水部材６１を固定する工程、バックアップ材６３を配置する工程、目地材６４を充填する工程を行い、必要に応じて保護層６５を形成する工程を行って、図１１（ｃ）に示す止水構造を形成することができる。
なお、止水部材６１を固定する前に、溝５８の底部には水膨潤ゴムからなるシール材６６、又はその他のクラックへの水の浸透を防ぐシール材を配置しておくこともできる。
【００５２】
図１１に示すようにクラック５７が生じた位置に形成する止水構造及びこの止水構造を形成して止水する方法は、コンクリート構造物の構築時に生じた打ち継ぎ目における止水を行うときにも同様に採用することができる。また、目地が設けられた位置に形成する止水構造及びこの止水構造を形成して止水する方法であっても、目地の両側の構造部分間の間隙が小さい場合、又は間隙がない場合には、図１１に示す止水構造及び止水方法と同様に目地の隙間を拡大する溝を切削し、その後は図１から図８までに基づいて説明したのと同様に止水構造を形成することができる。
【００５３】
さらに、目地の両側におよぶ所定深さの溝又はクラックや打ち継ぎ目の両側におよぶ所定深さの溝を切削するときには、図１２（ａ）に示すように凹状部７５，７６よりコンクリート構造物の表面側で幅が拡大された溝７８を形成することもできる。この溝７８は、凹状部７５，７６への固定材８２の充填及び止水部材８１を固定する作業を容易に行うことができる程度に幅が大きい溝７８を形成するものである。このように溝７８を形成したときには、止水部材８１を固定した後、凹状部７５，７６よりコンクリート構造物の表面側は、図１２（ｂ）に示すように、溝７８の両側で互いに対向する面に溝幅の復元部８７，８８を設けるのが望ましい。この溝幅の復元部８７，８８によって、バックアップ材８３の表面側で目地材８４を充填する領域が過大となるのを回避することができる。この溝幅の復元部８７，８８は、例えば固定材として使用できる材料のように、ペースト状で成型することができ、後に硬化する材料であって充分な強度とコンクリートに対する接着力が大きい材料、例えば合成樹脂、樹脂モルタル等を用いることができる。
【００５４】
図１３は、本発明の他の実施形態であって、クラックから雨水等が浸透するのを防ぐ止水方法及び止水構造の他の例を示す概略断面図である。
この止水方法では、コンクリート構造物に生じたクラックの両側の構造部分からクラックを越えてクランクの反対側に至る傾斜した溝を形成する。つまり、図１３（ａ）に示すように、生じたクラック９７の両側を第１の構造部分９１及び第２の構造部分９２とすると、この図中に仮想線で示すように、第１の構造部分９１の表面から深くなるにつれて第２の構造部分９２側に傾斜し、クラック９７を越えて第２の構造部分９２に至る第１の溝９８を切削する。そして、同様に第２の構造部分９２の表面からも第１の構造部分９１側に傾斜し、クラック９７を越えて第１の構造部分９１に至る第２の溝９９を切削する。これらの溝９８，９９をコンクリート構造物の表面に現れたクラックの方向に沿って形成する。これにより、図１３（ｂ）に示すように第１の構造部分９１及び第２の構造部分９２のクラックを挟んで両側にそれぞれ凹状部９５，９６が形成される。また、この凹状部９５，９６よりコンクリート構造物の表面側は溝状となってコンクリート構造物の表面に開口する。
【００５５】
このように２つの傾斜した溝の切削が終わると、図９及び図１０に示す止水方法及び止水構造と同様に、凹状部９５，９６に固定材１０２を充填する工程、止水部材１０１を凹状部９５，９６に突き入れて固定する工程、バックアップ材１０３を配置する工程、目地材１０４を充填する工程及び必要に応じて保護層１０５を設ける工程を行い、図１３（ｃ）に示すように止水構造を形成することができる。
【００５６】
図１４は、本発明の他の実施形態であって、コンクリート構造物を新たに構築するときの目地又は打ち継ぎ目に施すことができる止水方法及び止水構造を示す概略断面図である。
この方法では、目地の両側に形成する構造部分の一方のコンクリートを打設するときに、図１４（ａ）に示すように、型枠１４１のコンクリート構造物の表面から所定の深さとなる位置に、図１に示す凹状部５，６に相当する大きさの凸状型材１４２を取り付けておく。この凸状型材１４２に使用する材料は合成樹脂の発泡体やゴム材等の柔軟に変形する材料を用いるのが望ましい。
【００５７】
打設したコンクリートが硬化した後、上記凸状型材とともに型枠を取り外すことによって目地の両側の構造部分の一方１３１が形成され、コンクリート構造物の表面から所定の深さの位置に凹状部１３３が設けられている。この構造部分１３１の目地となる位置に、図１４（ｂ）に示すようにエラスタイト等の形状がほぼ一定に維持される目地材１４３を取り付ける。また、コンクリート構造物の表面付近の止水構造を設ける部分には、双方の構造部分間に間隙を形成するための型材１４４及び凹状部を形成するための凸状型材１４５を取り付ける。そして、これらの型材１４４及び凸状型材１４５と密接するようにコンクリートを打設し、目地の両側の構造部分の他方１３２を形成する。
間隙を形成するための上記型材１４４及び凸状型材１４５は、一方の構造部分１３１に凹状部を形成するときに用いた凸状型材１４２と同様に合成樹脂の発泡体やゴム等を用いることができる。
【００５８】
コンクリートが硬化した後に、上記型材１４４及び凸状型材１４５を取り外す。型材１４４及び凸状型材１４５は柔軟に変形して両側のコンクリートから剥離され、引き出される。また、型材１４４に発泡体を用いたときには、型材を粉砕しながら取り出してもよい。
上記型材１４４及び凸状型材１４５を除去することによって、目地の両側の構造部分１３１，１３２が形成され、これらの間に間隙１３５が確保される。また、コンクリート構造物の表面より所定の深さの位置に、凹状部１３３，１３４が形成される。
その後は、図１に示す止水構造を形成するときと同様の工程を行い、止水構造を完成することができる。
【００５９】
図１５は、本発明の他の実施形態であって、二つのプレキャストコンクリート部材の接合部における止水方法及び止水構造を示す概略断面図である。
この止水方法では、図１４（ａ）に示すように、二つのプレキャストコンクリート部材１１１，１１２の接合前に、これらの互いに対向する面１１３，１１４に凹状部１１５，１１６を設けておく。そして、図１４（ｂ）に示すようにエラスタイト等の目地材１２６を挟んで二つのプレキャストコンクリート部材１１１，１１２を接合したときに、凹状部１１５，１１６が形成された位置からプレキャストコンクリート部材１１１，１１２の表面側に間隙１１７が形成されるものとなっている。このように二つのプレキャストコンクリート部材１１１，１１２が接合された後は、図１４（ｃ）に示すように、図１から図８までに基づいて説明したのと同様に、凹状部１１５，１１６に固定材１２２を充填する工程、止水部材１２１を凹状部１１５，１１６に突き入れて固定する工程、バックアップ材１２３を配置する工程、目地材１２４を充填する工程及び必要に応じて保護層１２５を設ける工程を行って止水構造を形成することができる。
なお、複数のプレキャストコンクリート部材が接合された既存の構造物について接合部の止水を行うときにも、前に説明した目地の止水を行うとき、クラック又は打ち継ぎ目について止水を行うときと同様に本発明の止水構造を形成することができる。
【００６０】
以上に説明した止水構造及び止水方法は、本発明の実施の形態であり、本発明はこれらの実施の形態に限定されるものではなく、本発明の範囲内において適宜の設計変更等を行って実施することができる。また、この止水構造及び止水方法は、地下鉄等の地下構造物、護岸用のケーソン、沈埋函、よう壁、水路等における目地、クラック又は打ち継ぎ目等に広く適用することができるものである。
【符号の説明】
【００６１】
１：コンクリート構造物の第１の構造部分，  ２：コンクリート構造物の第２の構造部分，  ３：第１の構造部分の第２の構造部分と対向する面，  ３ａ：切削残留部，  ４：第２の構造部分の第１の構造部分と対向する面，  ４ａ：切削残留部，  ５：第１の構造部分に設けられた凹状部，  ６：第２の構造部分に設けられた凹状部，  ７：目地の間隙，  ８：拡幅穴，  ９：切削具，  ９ａ：切削具の本体部，  ９ｂ：切削具の回転軸，  ９ｃ：切削具の切削刃，  ９ｄ：切削具の規準部材，  １０：切削残留部を折り取る工具，
１１：止水部材，  １２：固定材，  １３：バックアップ材，  １４：目地材，  １５：保護層，
２１，２２，２３：凹状部，  ２４：止水部材，  ２４ａ：固定材１２に突き入れられる部分，  ２４ｂ：二つの構造部分間に架け渡される部分，  ２４ｃ：板面から両側への張り出した部分，  ２５：止水部材，  ２５ａ：凸状に湾曲した部分，  ２６：止水部材，  ２６ａ：湾曲部分，
３１：コンクリート構造物の第１の構造部分，  ３２：コンクリート構造物の第２の構造部分，  ３３：第１の構造部分の第２の構造部分と対向する面，  ３４：第２の構造部分の第１の構造部分と対向する面，  ３５：第１の構造部分に設けられた凹状部，  ３６：第２の構造部分に設けられた凹状部，  ３７：目地の間隙，
４１：止水部材，  ４２：固定材，  ４３：バックアップ材，  ４４：目地材，  ４５：保護層，
５５，５６：凹状部，  ５７：クラック，  ５８：溝，
６１：止水部材，  ６２：固定材，  ６３：バックアップ材，  ６４：目地材，  ６５：保護層，６６：シール材，
７５，７６：凹状部，  ７８：溝，
８１：止水部材，  ８２：固定材，  ８３：バックアップ材，  ８４：目地材，  ８５：保護層，  ８７，８８：溝幅の復元部，
９１：コンクリート構造物の第１の構造部分，  ９２：コンクリート構造物の第２の構造部分，  ９５，９６：凹状部，  ９７：クラック，  ９８：傾斜した第１の溝，  ９９：傾斜した第２の溝，
１０１：止水部材，  １０２：固定材，  １０３：バックアップ材，  １０４：目地材，  １０５：保護層，
１１１，１１２：プレキャストコンクリート部材，  １１３，１１４：二つのプレキャストコンクリート部材の互いに対向する面，  １１５，１１６：凹状部，  １１７：二つのプレキャストコンクリート部材間の間隙，
１２１：止水部材，  １２２：固定材，  １２３：バックアップ材，  １２４：目地材，  １２５：保護層，  １２６：目地材
１３１；目地の両側の一方の構造部分，  １３２；他方の構造部分，  １３３，１３４；凹状部，  １３５；間隙
１４１；型枠，  １４２；凸状型材，  １４３；目地材，  １４４；型材，  １４５；凸状型材
【図１】
2016017357.tif 000003
【図２】
2016017357.tif 000004
【図３】
2016017357.tif 000005
【図４】
2016017357.tif 000006
【図５】
2016017357.tif 000007
【図６】
2016017357.tif 000008
【図７】
2016017357.tif 000009
【図８】
2016017357.tif 000010
【図９】
2016017357.tif 000011
【図１０】
2016017357.tif 000012
【図１１】
2016017357.tif 000013
【図１２】
2016017357.tif 000014
【図１３】
2016017357.tif 000015
【図１４】
2016017357.tif 000016
【図１５】
2016017357.tif 000017